(57)【特許請求の範囲】
【請求項１】
異なる種類の電気機器を有するユーザが希望する報酬を希望報酬として取得する希望報酬取得部と、
異なる種類の前記電気機器と電力を授受する電力システムの電力系統の需給バランスを含む電力情報を取得する電力情報取得部と、
異なる種類の前記電気機器が所定の動作を実行した場合に前記ユーザに付与する報酬の基準値を設定する設定部と、
前記報酬の基準値以下の前記希望報酬を希望した前記ユーザの異なる種類の前記電気機器に対して、前記所定の動作の実行を指示する指示部と
を備え、
前記設定部は、前記電力情報が示す供給可能電力に基づいて、前記ユーザの異なる種類の前記電気機器に実行させる複数の動作の候補から前記所定の動作を前記電気機器ごとに選択し、選択した前記所定の動作に対応付けられた共通の制御番号を設定し、
前記指示部は、前記設定部が設定した前記制御番号を前記ユーザの異なる種類の前記電気機器に対して送信することで、異なる種類の前記電気機器ごとに前記所定の動作の実行を指示する、
電力管理装置。
【請求項２】
前記指示部の指示に対して前記電気機器が前記所定の動作を実行した際の動作実績と前記報酬の基準値とに基づいて、前記電気機器の前記ユーザに付与する報酬を算出する算出部を更に備える、請求項１に記載の電力管理装置。
【請求項３】
前記設定部は、前記電力情報に基づいて前記報酬の基準値を決定する、
請求項１または２に記載の電力管理装置。
【請求項４】
前記設定部は、前記電力情報に基づいて、前記電気機器として前記ユーザの住居に設置された蓄電池に実行させる充電動作および放電動作を含む動作の候補から前記所定の動作を選択し、
前記指示部は、前記蓄電池に対して、選択された前記所定の動作の実行を指示する、
請求項１から３のいずれか一項に記載の電力管理装置。
【請求項５】
前記設定部は、前記電力情報に基づいて、前記電気機器として前記ユーザの住居に設置された蓄電池および給湯器の動作内容の複数の組み合わせに対応する複数の動作の候補から前記所定の動作を選択し、
前記指示部は、前記蓄電池および前記給湯器に対して、選択された前記所定の動作の実行をそれぞれ指示する、
請求項１から４のいずれか一項に記載の電力管理装置。
【請求項６】
前記希望報酬取得部は、前記電気機器が設置されている地域の情報を更に取得し、
前記電力情報取得部は、前記電力情報を地域ごとに取得し、前記設定部は地域ごとに前記報酬の基準値を設定し、
前記指示部は、前記電気機器が設置されている地域に対応する前記所定の動作の実行を前記電気機器に指示する、
請求項１から５のいずれか一項に記載の電力管理装置。
【請求項７】
電気機器を有するユーザが希望する報酬を希望報酬として受け付ける入力デバイスと、
前記希望報酬を取得し、前記希望報酬と前記電力情報とに基づき、前記報酬の基準値を設定し、前記電気機器に対して所定の動作の実行を指示する、請求項１から６のいずれか一項に記載の前記電力管理装置と、
前記所定の動作の指示を受信して、前記所定の動作を前記電気機器に実行させる機器制御装置と
を備える、電力管理システム。
【請求項８】
電気機器を有するユーザが希望する報酬を希望報酬として受け付ける入力デバイスと、
前記電気機器と電力を授受する電力システムの電力系統の需給バランスを含む電力情報に基づき、前記電気機器に対する所定の動作の指示と報酬の基準値とを送信する電力管理装置と、
前記所定の動作の指示と前記報酬の基準値とを受信し、前記希望報酬と前記報酬の基準値とに基づいて前記所定の動作を前記電気機器に実行させる機器制御装置と
を備え、
前記機器制御装置は、
前記入力デバイスから前記希望報酬を取得する希望報酬取得部と、
前記電力管理装置から前記報酬の基準値を取得する報酬の基準値取得部と、
前記電力管理装置から前記所定の動作の指示を取得する動作実績取得部と、
前記希望報酬が前記報酬の基準値以下の場合に、前記所定の動作を前記電気機器に実行させる動作制御部と、
前記動作制御部が前記電気機器に前記所定の動作を実行させた動作実績を、前記電力管理装置に通知する通知部と
を有し、
前記電力管理装置は、
前記電力情報を取得する電力情報取得部と、
前記電気機器が前記所定の動作を実行した場合に前記ユーザに付与する前記報酬の基準値を設定する設定部と、
前記報酬の基準値以下の前記希望報酬を希望した前記ユーザの前記電気機器に対して、前記所定の動作の実行を指示する指示部と、
前記通知部から受信した動作実績に基づき、前記電気機器が前記所定の動作を実行した際の時間または電力量と前記報酬の基準値との積を、前記電気機器の前記ユーザに付与する報酬として算出する算出部と
を有する、
電力管理システム。
【請求項９】
異なる種類の電気機器を有するユーザが希望する報酬を希望報酬として受け付ける入力デバイスと、
異なる種類の前記電気機器と電力を授受する電力システムの電力系統の需給バランスを含む電力情報に基づき、前記電気機器に対する所定の動作の指示と報酬の基準値とを送信する電力管理装置と、
前記所定の動作の指示と前記報酬の基準値とを受信し、前記希望報酬と前記報酬の基準値とに基づいて前記所定の動作を異なる種類の前記電気機器に実行させる機器制御装置と
を備え、
前記電力管理装置は、
前記電力情報を取得する電力情報取得部と、
前記電気機器が前記所定の動作を実行した場合に前記ユーザに付与する前記報酬の基準値を設定する設定部と、
前記報酬の基準値以下の前記希望報酬を希望した前記ユーザの前記電気機器に対して、前記所定の動作の実行を指示する指示部と
を有し、
前記設定部は、前記電力情報が示す供給可能電力に基づいて、前記ユーザの異なる種類の前記電気機器に実行させる複数の動作の候補から前記所定の動作を前記電気機器ごとに選択し、選択した前記所定の動作に対応付けられた共通の制御番号を設定し、
前記指示部は、前記設定部が設定した前記制御番号を前記ユーザの異なる種類の前記電気機器に対して送信することで、異なる種類の前記電気機器ごとに前記所定の動作の実行を指示し、
前記機器制御装置は、
前記入力デバイスから前記希望報酬を取得する希望報酬取得部と、
前記電力管理装置から前記報酬の基準値を取得する報酬の基準値取得部と、
前記電力管理装置から前記制御番号を取得する動作実績取得部と、
前記希望報酬が前記報酬の基準値以下の場合に、前記制御番号に対応する前記所定の動作を異なる種類の前記電気機器に実行させる動作制御部と
を有する、
電力管理システム。
【請求項１０】
コンピュータが実行する、
異なる種類の電気機器を有するユーザが希望する報酬を希望報酬として取得するステップと、
異なる種類の前記電気機器と電力を授受する電力システムの電力系統の需給バランスを含む電力情報を取得するステップと、
異なる種類の前記電気機器が所定の動作を実行した場合に前記ユーザに付与する報酬の基準値を設定するステップと、
前記報酬の基準値以下の前記希望報酬を希望した前記ユーザの異なる種類の前記電気機器に対して、前記所定の動作の実行を指示するステップと
を有し、
前記設定するステップにおいて、前記電力情報が示す供給可能電力に基づいて、前記ユーザの異なる種類の前記電気機器に実行させる複数の動作の候補から前記所定の動作を前記電気機器ごとに選択し、選択した前記所定の動作に対応付けられた共通の制御番号を設定し、
前記指示するステップにおいて、前記制御番号を前記ユーザの異なる種類の前記電気機器に対して送信することで、異なる種類の前記電気機器ごとに前記所定の動作の実行を指示する、
電力管理方法。
【請求項１１】
コンピュータにより実行されると、前記コンピュータを請求項１から６のいずれか一項に記載の前記電力管理装置として機能させる、プログラム。
【発明の詳細な説明】
【技術分野】
【０００１】
本発明は、電力管理装置、機器制御装置、電力管理システム、電力管理方法、およびプログラムに関する。
【背景技術】
【０００２】
住居に電力を供給する電力システムにおいて、電力の供給者側と需要者側とをネットワーク等を用いて接続し、電力システムの電力の需給バランスに応じて電力の流れを最適化する試みが知られている（例えば、特許文献１および２を参照）。
【先行技術文献】
【特許文献】
【０００３】
【特許文献１】ＷＯ２０１８−２０７２２６号公報
【特許文献２】特開２０１７−３７４５９号公報
【発明の概要】
【発明が解決しようとする課題】
【０００４】
例えば特許文献１では、電力の流れを最適化するにあたり、過去にユーザが応答した実績とその環境を踏まえ、依頼人が各ユーザに対する電力調整の配分量を決定するものであるが、ユーザの環境条件を予測するためには、大量の計算が必要となることに加え、ある一部のユーザに対してのみ依頼が集中するなど、ユーザ間の不公平感を生じさせる可能性がある。また予想外の一時的な電力需給バランス崩れに対して、ユーザが応答することが難しい。また特許文献２では依頼人がユーザに対して、電力消費の抑制内容と対価を提示し、過去の応動結果から、適切な対価を選択するとあるが、ユーザ毎に与える対価ならびに行動パターンを予測する必要があるため、大量の計算が必要となり、システムが複雑となり、導入コストおよび維持コストが高額となることに加え、ユーザ毎に対価が異なった場合には、ユーザ間で不公平感を生じさせる可能性がある。また上記を鑑みるとユーザの数を増やす際にはその都度、上記に見られる環境条件や行動パターンの予測が必要となるため、安易にユーザの数を増やせないという問題があった。
【０００５】
そこで、本発明はこれらの点に鑑みてなされたものであり、電力システムとより多くの住居との間の電力の流れを簡便に調節し、電力の需給調整を容易に実施できるような電力管理装置等を提供することを目的とする。
そして、本発明者らは、電気機器を有する複数のユーザからの自主的な希望報酬を事前に取得するように工夫して、電気機器を有する複数のユーザを電力系統の需給バランスの調整に参画させれば、電力の流れを簡便に把握し調節することができると考えて本発明に至ったものである。
【課題を解決するための手段】
【０００６】
本発明の第１の態様においては、電気機器を有するユーザが希望する報酬を希望報酬として取得する希望報酬取得部と、前記電気機器と電力を授受する電力システムの電力系統の需給バランスを含む電力情報を取得する電力情報取得部と、前記電気機器が所定の動作を実行した場合に前記ユーザに付与する報酬の基準値を設定する設定部と、前記報酬の基準値以下の前記希望報酬を希望した前記ユーザの前記電気機器に対して、前記所定の動作の実行を指示する指示部とを備える、電力管理装置を提供する。
【０００７】
前記設定部は、前記電力情報に基づいて前記報酬の基準値を決定してもよい。前記設定部は、前記ユーザの希望報酬を集計し、付与する報酬に対して、どの程度の前記ユーザが所有する電気機器が動作するか想定したうえで、前記報酬の基準値を決定してもよい。前記設定部は、前記電力情報に基づいて前記電気機器に実行させる複数の動作の候補から前記所定の動作を選択し、前記指示部は、選択された前記所定の動作の実行を指示してもよい。
【０００８】
前記設定部は、前記電力情報に基づいて、前記電気機器として前記ユーザの住居に設置された蓄電池に実行させる充電動作および放電動作を含む動作の候補から前記所定の動作を選択し、前記指示部は、前記蓄電池に対して、選択された前記所定の動作の実行を指示してもよい。
【０００９】
前記設定部は、前記電力情報に基づいて、前記電気機器として前記ユーザの住居に設置された蓄電池および給湯器の動作内容の複数の組み合わせに対応する複数の動作の候補から前記所定の動作を選択し、前記指示部は、前記蓄電池および前記給湯器に対して、選択された前記所定の動作の実行をそれぞれ指示してもよい。
【００１０】
前記電力管理装置は、前記指示部の指示に対して前記電気機器が前記所定の動作を実行した際の動作実績と前記報酬の基準値とに基づいて、前記電気機器の前記ユーザに付与する報酬を算出する算出部を更に備えてもよい。
【００１１】
前記希望報酬取得部は、前記電気機器が設置されている地域の情報を更に取得し、前記電力情報取得部は、前記電力情報を地域ごとに取得し、前記設定部は地域毎に前記報酬の基準値を設定し、前記指示部は、前記電気機器が設置されている地域に対応する前記所定の動作の実行を前記電気機器に指示してもよい。
【００１２】
本発明の第２の態様においては、電気機器を有するユーザが希望する報酬を希望報酬として受け付ける入力デバイスと、前記希望報酬を取得し、前記希望報酬と前記電力情報とに基づき、前記報酬の基準値を設定し、前記電気機器に対して所定の動作の実行を指示する、前記電力管理装置と、前記所定の動作の指示を受信して、前記所定の動作を前記電気機器に実行させる機器制御装置とを備える、電力管理システムを提供する。
【００１３】
本発明の第３の態様においては、電力システムにおける電力の需給量を管理する電力管理装置と通信し、ユーザの電気機器を制御する機器制御装置であって、前記ユーザが希望する報酬を希望報酬として取得する希望報酬取得部と、前記電気機器に所定の動作を実行させた場合に前記ユーザに付与する報酬の基準値を前記電力管理装置から取得する報酬の基準値取得部と、前記電力管理装置から前記所定の動作の指示を取得する動作実績取得部と、前記希望報酬が前記報酬の基準値以下の場合に、前記所定の動作を前記電気機器に実行させる動作制御部とを備える、機器制御装置を提供する。
【００１４】
前記機器制御装置は、前記動作制御部が前記電気機器に前記所定の動作を実行させた動作実績を、前記電力管理装置に通知する通知部を更に備えてもよい。
【００１５】
本発明の第４の態様においては、電気機器を有するユーザが希望する報酬を希望報酬として受け付ける入力デバイスと、前記電気機器と電力を授受する電力システムの電力系統の需給バランスを含む電力情報に基づき、前記電気機器に対する所定の動作の指示と報酬の基準値とを送信する電力管理装置と、前記所定の動作の指示と前記基準値とを受信し、前記希望報酬と前記基準値とに基づいて前記所定の動作を前記電気機器に実行させる、第３の態様の前記機器制御装置とを備える、電力管理システムを提供する。
【００１６】
本発明の第５の態様においては、コンピュータが実行する、電気機器を有するユーザが希望する報酬を希望報酬として取得するステップと、前記電気機器と電力を授受する電力システムの電力の需給バランスを含む電力情報を取得するステップと、前記電気機器が所定の動作を実行した場合に前記ユーザに付与する報酬の基準値を設定するステップと、前記報酬の基準値以下の前記希望報酬を希望した前記ユーザの前記電気機器に対して、前記所定の動作の実行を指示するステップとを有する、電力管理方法を提供する。
【００１７】
本発明の第６の態様においては、コンピュータにより実行されると、前記コンピュータを第１の態様の前記電力管理装置として機能させる、プログラムを提供する。
【００１８】
本発明の第７の態様においては、コンピュータにより実行されると、前記コンピュータを第３の態様の前記機器制御装置として機能させる、プログラムを提供する。
【発明の効果】
【００１９】
本発明によれば、電力システムとより多くのユーザの住居との間の電力の流れを簡便に調節できるという効果を奏する。
【図面の簡単な説明】
【００２０】
【図１】本実施形態に係る電力管理システム１０の構成例を示す。
【図２】本実施形態に係る電力管理装置１００の構成例を示す。
【図３】本実施形態に係る電力管理装置１００の動作フローの一例を示す。
【図４】本実施形態に係る設定部１４０が設定する所定の動作と制御番号の割り当ての一例を示す。
【図５】本実施形態に係る電力管理システム１０における機器制御装置４０および電力管理装置１００の変形例を示す。
【発明を実施するための形態】
【００２１】
＜電力管理システム１０の構成例＞
図１は、本実施形態に係る電力管理システム１０の構成例を示す。電力管理システム１０は、電気機器３０を制御して、電力システム２０とユーザに設けられている電気機器３０との間の電力の流れを調節する。電力システム２０は、ユーザに電力を供給する。また、電力システム２０は、ユーザ側で発電した電力を受けとる。ここで、ユーザは、一般的な家庭を含む。また、ユーザは、工場、倉庫、事業所、営業所等を含んでもよい。
【００２２】
電気機器３０は、ユーザに設けられており、電力システム２０と電力を授受する。本実施形態においては、電気機器３０は、ユーザで電力を消費する機器のうち、比較的、電力消費量が大きい機器を含む。また、電気機器３０は、電力を発電する機器、電力を蓄電可能な機器等を含んでもよい。電気機器３０は、例えば、給湯器、家庭用蓄電池、エアコン、燃料電池、コージェネレーションシステム、電気自動車等である。
【００２３】
電力管理システム１０は、電力システム２０の電力系統の需給バランスと電気機器３０を有するユーザが希望する報酬とに基づき、電力システム２０と電気機器３０との間の電力の流れを調節する。電力管理システム１０は、機器制御装置４０と、入力デバイス５０と、電力管理装置１００とを備える。
【００２４】
機器制御装置４０は、ユーザの電気機器３０を制御する。機器制御装置４０は、電気機器３０と、電力管理装置１００と通信可能に設けられている。機器制御装置４０は、電力管理装置１００からの所定の動作の指示を受信して、所定の動作を電気機器３０に実行させる。機器制御装置４０は、例えば、電気機器３０の動作開始、動作停止、自動運転、手動運転等の動作を切り換える。また、機器制御装置４０は、電気機器３０の動作実績等を電力管理装置１００に通知してもよい。
【００２５】
機器制御装置４０は、例えば、電力管理装置１００と電気機器３０との間を相互接続するゲートウェイとしての機能を有する。機器制御装置４０は、電力管理装置１００および／または電気機器３０に対応して製造された専用装置であってもよく、これに代えて、コンピュータ等であってもよい。機器制御装置４０は、ユーザに設けられていることが望ましい。
【００２６】
入力デバイス５０は、電気機器３０を有するユーザが希望する報酬を希望報酬として受け付けるデバイスである。ここで、電気機器３０のユーザは、電力管理装置１００の指示に対応して電気機器３０が動作することを許容しているユーザである。ユーザは、例えば、電気機器３０および／または機器制御装置４０が電力管理装置１００の指示に応じて動作するように、予め設定する。そして、ユーザは、電気機器３０が電力管理装置１００の指示に応じて動作した場合に受け取りたい報酬の最低値を、入力デバイス５０に入力する。
【００２７】
入力デバイス５０は、ユーザに設置されているデバイスであってもよく、これに代えて、ユーザが携帯するデバイスであってもよい。入力デバイス５０は、例えば、サーバ、パソコン（ＰＣ）、携帯型ＰＣ、タブレット型ＰＣ、スマートフォン等である。また、入力デバイス５０は、電力管理装置１００に対応して製造された専用デバイスであってもよい。
【００２８】
ユーザは、例えば、電気機器３０の動作実績に応じて、電力システム２０の所有者、運営者である電力会社又はメーカ等から報酬を受け取る。ユーザが受け取る報酬は、例えば、商品、サービス等と交換または代金の一部として利用可能なポイントである。この場合、報酬は、発電および消費した電力量の報酬であることが望ましい。そして、報酬は、単位時間当たりの報酬であることが望ましい。また、報酬は、複数種類のポイントからユーザが選択できることが望ましい。
【００２９】
これに代えて、報酬は、金銭、商品、商品券等であってもよい。報酬は、ポイント数、金額、個数等のように、数値によって価値を評価できる報酬であればよい。本実施形態においては、報酬が複数種類の単位時間当たりのポイントである例を説明する。そして、希望報酬は、ユーザが希望する最低限度の報酬である。
【００３０】
電力管理装置１００は、ユーザが入力した希望報酬の情報を取得し、希望報酬と電力システム２０の電力系統の需給バランス情報とに基づき、付与する報酬を決定し、付与する報酬が希望報酬を上回ったユーザの電気機器３０に対して所定の動作の実行を指示する。電力管理装置１００は、電力システム２０の電力供給が過剰にならず、また、電力システム２０の電力供給が不足にならないように、適切な数の電気機器３０に対して所定の動作を実行する指示を出力する。
【００３１】
図１は、電気機器３０Ａを所有する第１ユーザが入力デバイス５０Ａを用いて希望報酬を入力する例を示す。そして、電力管理装置１００が、第１ユーザの希望報酬と電力システム２０の電力情報に基づいて、ユーザの希望報酬を上回る報酬を付与できる場合に、所定の動作の指示を機器制御装置４０Ａに送信し、電力システム２０および電気機器３０Ａの間の電力の流れを調節する例を示す。電気機器３０Ａは、例えば、電力を消費する給湯器等である。
【００３２】
また、図１は、電気機器３０Ｂおよび電気機器３０Ｃを所有する第２ユーザが入力デバイス５０Ｂを用いて希望報酬を入力する例を示す。そして、電力管理装置１００が、第２ユーザの希望報酬と電力システム２０の電力情報に基づいて、ユーザの希望報酬を上回る報酬を付与できる場合に、所定の動作の指示を機器制御装置４０Ｂに送信し、電力システム２０と電気機器３０Ｂおよび電気機器３０Ｃとの間の電力の流れを調節する例を示す。例えば、電気機器３０Ｂは電力を消費する給湯器等であり、電気機器３０Ｃは電力を発生および／または蓄電する機器等である。以上のような電力管理装置１００について、次に説明する。
【００３３】
＜電力管理装置１００の構成例＞
図２は、本実施形態に係る電力管理装置１００の構成例を示す。電力管理装置１００は、例えば、サーバ等のコンピュータによって構成されている。電力管理装置１００は、希望報酬取得部１１０と、電力情報取得部１２０と、記憶部１３０と、設定部１４０と、指示部１５０と、受信部１６０と、算出部１７０とを備える。一例として、電力管理装置１００は、プロセッサが、例えば記憶部１３０に記憶されたプログラムを実行することにより、希望報酬取得部１１０、電力情報取得部１２０、設定部１４０、指示部１５０、受信部１６０及び算出部１７０として機能する。
【００３４】
希望報酬取得部１１０は、電気機器３０を有する複数のユーザが希望する報酬を希望報酬として取得する。希望報酬取得部１１０は、例えば、ネットワークを介して入力デバイス５０と通信して、希望報酬の情報を取得する。なお、ネットワークは、例えば、インターネット、ＬＡＮ、電話回線、専用回線等で構成されている。希望報酬取得部１１０は、複数のユーザがそれぞれ希望して入力した複数の希望報酬を、ユーザのＩＤ、ユーザの電気機器３０の種類等と対応付けて取得することが望ましい。
【００３５】
電力情報取得部１２０は、ユーザに電力を供給する電力システム２０の電力需給のバランスなどを示す電力情報を取得する。電力情報取得部１２０は、例えば、ネットワークを介して電力システム２０と通信して、電力情報を取得する。電力情報は、現在の電力システム２０の供給状態を含んでよく、また、電力システム２０の将来の供給予測、過去の供給実績の情報を含んでもよい。
【００３６】
記憶部１３０は、取得した希望報酬および電力情報を記憶する。記憶部１３０は、例えば、希望報酬をユーザのＩＤ等に対応付けて記憶する。また、記憶部１３０は、電力情報を取得した時間に対応付けて記憶してもよい。記憶部１３０は、電力管理装置１００が動作の過程で生成する（または利用する）中間データ、算出結果、およびパラメータ等を記憶してもよい。記憶部１３０は、電力管理装置１００内の各部の要求に応じて、記憶したデータを要求元に供給してもよい。
【００３７】
記憶部１３０は、コンピュータが電力管理装置１００として動作する場合、電力管理装置１００として機能するＯＳ（Operating System）、およびプログラムの情報を格納してもよい。また、記憶部１３０は、当該プログラムの実行時に参照されるデータベースを含む種々の情報を格納してもよい。例えば、コンピュータは、記憶部１３０に記憶されたプログラムを実行することによって、電力管理装置１００として機能する。
【００３８】
記憶部１３０は、例えば、コンピュータ等のＢＩＯＳ（Basic Input Output System）等を格納するＲＯＭ（Read Only Memory）、および作業領域となるＲＡＭ（Random Access Memory）を含む。また、記憶部１３０は、ＨＤＤ（Hard Disk Drive）および／またはＳＳＤ（Solid State Drive）等の大容量記憶装置を含んでもよい。また、コンピュータは、ＧＰＵ（Graphics Processing Unit）等を更に備えてもよい。
【００３９】
なお、機器制御装置４０および／または入力デバイス５０も、このような記憶部を有するコンピュータであってもよい。また、機器制御装置４０および／または入力デバイス５０は、電力管理装置１００と一体のコンピュータであってもよい。
【００４０】
設定部１４０は、電力情報が示す電力の需給バランスに基づいて、電気機器３０に実行させる所定の動作を設定する。設定部１４０は、例えば、供給可能電力が不足している状態の場合、電気機器３０の電力消費を低減させる動作、電気機器３０が電力を放出する動作、電気機器３０が電力を発生させる動作等を所定の動作として設定する。また、設定部１４０は、供給可能電力が過剰な状態の場合、電気機器３０の自動動作または手動動作、電気機器３０の電力を蓄電する動作等を所定の動作として設定する。
【００４１】
設定部１４０は、電力情報に基づいてこのような電気機器３０に実行させる複数の動作の候補から所定の動作を選択してもよい。また、１つのユーザに複数の電気機器３０が設置されている場合、設定部１４０は、複数の電気機器３０の動作の組み合わせに対応する複数の動作の候補から所定の動作を選択してもよい。このような場合、設定部１４０は、予め定められたテーブルを用いることで、所定の動作を容易に選択できる。
【００４２】
また、設定部１４０は、電気機器３０が所定の動作を実行した場合にユーザに付与する報酬の基準値を設定する。設定部１４０は、電力情報が示す供給可能電力に基づいて報酬の基準値を決定する。設定部１４０は所定の動作をする電気機器３０の数を増加させたい場合に、報酬の基準値をより高い値に設定する。
【００４３】
設定部１４０は、複数の閾値を用いて報酬の基準値を設定してもよく、これに代えて、電力量を入力すると設定すべき基準値を出力する予め定められた関数等を用いて基準値を設定してもよい。また、設定部１４０は、過剰な電力量および不足している電力量に対する基準値の対応関係を予め定めたテーブルを用いて、報酬の基準値を設定してもよい。また、設定部１４０は、過剰な電力量および不足している電力量と、予め取得しているユーザの希望報酬の人数分布とに基づき、報酬の基準値を設定してもよい。
【００４４】
指示部１５０は、設定された報酬の基準値以下の希望報酬を希望したユーザの電気機器３０に対して、設定された所定の動作の実行を指示する。例えば、設定部１４０が所定の動作を電気機器３０の「動作停止」に設定し、報酬の基準値を２０ポイントに設定した場合、指示部１５０は、複数のユーザのうち２０ポイント以下の希望報酬を希望したユーザの電気機器３０に対して、「動作停止」を指示する。より具体的には、指示部１５０は、機器制御装置４０に所定の動作を示す制御信号を送信し、機器制御装置４０は、制御信号を受信したことに応じて、所定の動作を制御対象の電気機器３０に実行させる。
【００４５】
受信部１６０は、機器制御装置４０または電気機器３０と通信して、指示部１５０の指示に応じて電気機器３０が所定の動作を実行した動作実績の情報を受信する。受信部１６０は、動作実績の情報の受信結果を電気機器３０に対応づけて記憶部１３０に記憶することが望ましい。受信部１６０は、受信結果を所定の動作を実行した電気機器３０と報酬の基準値とに対応づけて記憶部１３０に記憶することがより望ましい。
【００４６】
算出部１７０は、指示部１５０の指示に対して電気機器３０が所定の動作を実行した動作実績と基準値とに基づいて、電気機器３０のユーザに付与する報酬を算出する。算出部１７０は、例えば、電気機器３０が所定の動作を実行した時間または電力量と報酬の基準値との積を報酬として算出する。算出部１７０は、ユーザを識別するための情報に関連付けて報酬の算出結果を記憶部１３０に記憶することが望ましい。
【００４７】
以上のように、本実施形態に係る電力管理装置１００は、ユーザの希望報酬と基準値との比較結果に応じて、所定の動作の指示の送信先を決定する。このような電力管理装置１００は、所定の動作と報酬の基準値とを設定することで、容易に所定の動作の指示の送信先を決定できる。このような電力管理装置１００の動作フローについて次に説明する。
【００４８】
＜電力管理装置１００の動作フローの一例＞
図３は、本実施形態に係る電力管理装置１００の動作フローの一例を示す。電力管理装置１００は、Ｓ３１０からＳ４００の動作を実行することにより、電気機器３０に所定の動作を実行させて電力システム２０と電気機器３０との間の電力の流れを調節する。
【００４９】
まず、希望報酬取得部１１０は、電気機器３０を有するユーザが希望する報酬を希望報酬として取得する（Ｓ３１０）。希望報酬取得部１１０は、ユーザが入力デバイス５０を用いて希望報酬を入力したことに応じて、希望報酬の情報を取得する。
【００５０】
希望報酬取得部１１０は、例えば、予め設計されたＷＥＢサイトから希望報酬の情報を入手可能に構成されている。この場合、ＷＥＢサイトには、報酬の種類、報酬の値等が入力可能となっていることが望ましい。また、ＷＥＢサイトには、ユーザの情報、電気機器３０の情報、所定の動作を電気機器３０に実行させるか否かの情報等が入力可能となっていることがより望ましい。また、希望報酬取得部１１０は、入力デバイス５０で実行されるアプリケーション等から希望報酬の情報等を入手可能に構成されていてもよい。
【００５１】
希望報酬取得部１１０は、ユーザの希望報酬の情報を予め取得する。また、希望報酬取得部１１０は、電力管理装置１００が動作中であっても、ユーザの希望報酬の情報を取得して更新してもよい。なお、ＷＥＢサイト、アプリケーション等には、過去に入力した希望報酬、過去に設定された基準値、ユーザの電気機器３０の動作実績、ユーザが受け取る予定の報酬の情報等が表示可能であることが望ましい。また、このようなＷＥＢサイト、アプリケーション等の情報は、記憶部１３０に記憶されていてもよく、これに代えて、希望報酬取得部１１０とネットワークを介して接続されているデータベース等に記憶されていてもよい。
【００５２】
次に、電力情報取得部１２０は、電力システム２０の電力系統の需給バランスなどの電力情報を取得する（Ｓ３２０）。電力情報取得部１２０は、例えば、電力システム２０の供給電力の過不足の量を取得する。
【００５３】
次に、設定部１４０は、電力情報が示す供給可能電力に基づいて、電気機器３０に実行させる所定の動作を設定する（Ｓ３３０）。設定部１４０は、例えば、電気機器３０が給湯器の場合、電力情報が示す供給可能電力に基づいて、「自動動作」、「手動動作」、「動作停止」等の動作候補から所定の動作を選択する。
【００５４】
設定部１４０は、例えば、電力系統の需給バランスの供給可能電力が電力不足の状態の場合、「動作停止」を選択し電力消費の停止を指示する。設定部１４０は、供給可能電力が過不足のない状態の場合、「自動動作」を選択する。設定部１４０は、供給可能電力が少し過剰な状態の場合、「自動動作」を選択する。設定部１４０は、供給可能電力が過剰な状態の場合、「手動動作」を選択し、電力の消費を指示する。
【００５５】
また、電気機器３０がユーザに設置された家庭用の蓄電池の場合、設定部１４０は、電力情報に基づいて、蓄電池に実行させる充電動作および放電動作を含む動作の候補から所定の動作を選択する。一例として、設定部１４０は、電力情報が示す電力の需給バランスに基づいて、「放電動作」、「充電動作」、「動作停止」等の動作候補から所定の動作を選択する。設定部１４０は、例えば、電力系統の需給バランスの供給可能電力が電力不足の状態の場合に「放電動作」を選択し、供給可能電力が過不足のない状態の場合「動作停止」を選択する。また、設定部１４０は、供給可能電力が過剰な場合に「充電動作」を選択し、電力の消費を指示する。
【００５６】
また、電気機器３０が１つのユーザに設置された家庭用蓄電池および給湯器の場合、設定部１４０は、電力情報に基づいて、蓄電池および給湯器の上記のような動作内容の複数の組み合わせに対応する複数の動作の候補から所定の動作を選択する。設定部１４０は、例えば、供給可能電力が不足している場合、給湯器の「動作停止」と蓄電池の「放電動作」とを所定の動作として選択する。
【００５７】
設定部１４０は、供給可能電力が過不足のない場合、給湯器の「自動動作」と蓄電池の「動作停止」とを所定の動作として選択する。設定部１４０は、供給可能電力がやや供給過剰な場合、給湯器の「自動動作」と蓄電池の「充電動作」とを所定の動作として選択する。設定部１４０は、供給可能電力が過剰な場合、給湯器の「手動動作」と蓄電池の「充電動作」とを所定の動作として選択する。
【００５８】
なお、設定部１４０は、所定の動作を予め割り当てられている制御番号を用いて設定してもよい。図４には、本実施形態に係る設定部１４０が設定する所定の動作と制御番号の割り当ての一例を示す。制御番号は、電力供給の状態と対応付けられていることが望ましい。例えば、制御番号１は、電力の供給量に過不足のない状態に対応付けられている。
【００５９】
これにより、電力管理装置１００が制御番号を機器制御装置４０に送信すれば、機器制御装置４０は、制御番号に対応する所定の動作を電気機器３０に実行させることができる。例えば、機器制御装置４０は、制御番号１を受け取ると、制御対象の電気機器３０が蓄電池であれば「動作停止」を実行させ、制御対象の電気機器３０が給湯器であれば「自動動作」を実行させることができる。
【００６０】
このように、設定部１４０は、異なる種類の電気機器３０の動作を電力供給の状態と対応付けた共通の制御番号を用いることにより、容易に複数種類の電気機器３０の動作を指示することができる。また、電気機器３０の種類および所定の動作が増加しても、図４に示す割り当てテーブルを更新することにより、電力管理装置１００は、電気機器３０ごとに複雑な命令セットを用いることなく、制御番号による通信だけで所定の動作を指示することができる。
【００６１】
次に、設定部１４０は、電気機器３０が所定の動作を実行した場合にユーザに付与する報酬の基準値を設定する（Ｓ３４０）。設定部１４０は、例えば、電力システム２０の供給電力が過不足のない状態となるように、基準値を設定することが望ましい。例えば、設定部１４０は、供給電力が過不足のない状態の場合、報酬の基準値を最低値に設定する。一例として、報酬の基準値の最低値を単位時間当たり１０ポイントとする。設定部１４０は、供給電力が不足している状態において電力を供給する動作に対する報酬の基準値を最低値よりも大きな値に設定する。
【００６２】
設定部１４０は、例えば、供給電力が不足している電力情報に基づき、給湯器を「動作停止」させるユーザに対して、単位時間当たり２０ポイントとなる報酬の基準値を設定する。設定部１４０は、供給電力が不足している電力情報に基づき、充電池を「放電動作」させるユーザに対して、１ｋＷｈ当たり２０ポイントとなる報酬の基準値を設定してもよい。また、設定部１４０は、例えば、供給電力の不足量がより大きい場合に給湯器を「動作停止」させるユーザに対して単位時間当たり４０ポイントとなる報酬の基準値を設定する。また、設定部１４０は、供給電力の不足量がより大きい場合に充電池を「放電動作」させるユーザに対して１ｋＷｈ当たり４０ポイントとなる報酬の基準値を、それぞれ設定する。
【００６３】
このように、設定部１４０は、供給可能電力の値が過不足のない状態の範囲から離れた値の絶対値に応じて、より大きい報酬の基準値を設定することが好ましい。設定部１４０は、過去の基準値の設定値と供給可能電力の変化量の実績に基づき、報酬の基準値を設定してもよい。また、設定部１４０は、供給電力の不足量または過剰量に応じて、所定の動作を実行すべき電気機器３０の数を割り出してもよい。この場合、設定部１４０は、割り出した数の電気機器３０に対して所定の動作を指示できるように、ユーザの希望報酬に対するユーザ数の分布から、適切な報酬の基準値を設定する。設定部１４０は、報酬の種類ごとに、また、動作の内容ごとに、報酬の基準値を設定してもよい。
【００６４】
次に、指示部１５０は、ユーザの希望報酬と設定された報酬の基準値とを比較する（Ｓ３５０）。指示部１５０は、希望報酬が報酬の基準値以下の場合（Ｓ３５０：Ｙｅｓ）、基準値以下の希望報酬を希望したユーザの電気機器３０に対して、所定の動作の実行を指示する（Ｓ３６０）。なお、指示部１５０は、例えば、機器制御装置４０から指示の問い合わせを受け取ったことに応じて所定の動作の指示を送信する。この場合、機器制御装置４０は、予め定められた時間が経過するごとに、指示部１５０に対して指示の問い合わせをしてもよい。一例として、予め定められた時間は略５分である。これに代えて、指示部１５０は、予め定められた時間が経過する毎に所定の動作の指示を機器制御装置４０に送信してもよい。
【００６５】
指示部１５０は、例えば、蓄電池、給湯器といった電気機器３０を制御する機器制御装置４０に、設定部１４０によって選択された所定の動作の実行を指示する。なお、電気機器３０および機器制御装置４０が一体となっている場合、指示部１５０は、電気機器３０に直接指示してもよい。
【００６６】
指示部１５０は、例えば、報酬の基準値が２０ポイントの場合に、２０ポイント以下の希望報酬を希望したユーザの電気機器３０を制御する機器制御装置４０に、所定の動作に対応する制御番号を送信する。一例として、指示部１５０は、図４に示すテーブルが示すように、４番の制御番号を所定の動作の指示として機器制御装置４０に送信する。
【００６７】
所定の動作の指示を受信した機器制御装置４０は、指示に対応する所定の動作を電気機器３０に実行させる（Ｓ３７０）。例えば、電気機器３０が給湯器の場合、機器制御装置４０は、４番の制御番号に対応して、給湯器の動作を停止させる。また、電気機器３０が蓄電池の場合、機器制御装置４０は、４番の制御番号に対応して、蓄電池を放電させる。また、電気機器３０が給湯器および蓄電池の場合、機器制御装置４０は、４番の制御番号に対応して、給湯器の動作を停止させ、蓄電池を放電させる。
【００６８】
次に、機器制御装置４０は、電気機器３０が所定の動作をしたことを動作実績として電力管理装置１００の受信部１６０に通知する（Ｓ３８０）。機器制御装置４０は、電気機器３０の動作時間、動作条件等の情報も受信部１６０に通知してもよい。機器制御装置４０は、例えば、予め定められた時間毎に動作実績を通知する。
【００６９】
次に、算出部１７０は、電気機器３０のユーザに付与する報酬を算出する（Ｓ３９０）。算出部１７０は、例えば、記憶部１３０に記憶されている電気機器３０の動作実績の情報と報酬の基準値とを読み出して、電気機器３０のユーザの報酬を算出する。算出部１７０は、電気機器３０ごとに報酬を算出する。また、算出部１７０は、算出した報酬を記憶部１３０に記憶することが望ましい。算出部１７０は、電気機器３０ごとに算出した報酬を、電気機器３０ごとに積算してもよい。
【００７０】
これにより、電力管理装置１００は、予め定められた期間において電気機器３０のユーザが受け取る報酬の合計を、記憶部１３０から容易に読み出して出力することができる。また、電力管理装置１００には、報酬であるポイント等を管理、運営している企業のサーバ等に、付与すべき報酬の情報を送信する送信部が更に設けられていてもよい。これにより、電力管理装置１００は、ユーザへ付与すべき報酬等の情報を速やかに管理先に供給することができる。
【００７１】
なお、指示部１５０は、希望報酬が報酬の基準値を超えた場合（Ｓ３５０：Ｎｏ）、基準値を超えた希望報酬を希望したユーザの電気機器３０に対しては、所定の動作の実行を指示しない。この場合、電力管理装置１００は、次のＳ４００の動作を実行する。
【００７２】
電力管理装置１００は、動作を中断または停止するまで、Ｓ３１０に戻り、Ｓ３１０からＳ４００の動作を繰り返す（Ｓ４００：Ｎｏ）。なお、Ｓ３１０において、ユーザが希望報酬を更新している場合、希望報酬取得部１１０は、更新後の希望報酬を取得する。また、ユーザが希望報酬を更新していない場合、希望報酬取得部１１０は、取得済みのユーザの希望報酬を用いてよい。
【００７３】
電力管理装置１００は、例えば、ユーザ、管理者、オペレータ等からの中断、または停止の入力を受け付けた場合、異常を検出した場合等において、動作を中断または停止する（Ｓ４００：Ｙｅｓ）。電力管理装置１００は、例えば、ユーザごとにこのような動作を実行して、条件に合致したユーザの電気機器３０に所定の動作の実行を指示する。
【００７４】
以上のように、本実施形態に係る電力管理装置１００は、電力情報に基づいて所定の動作と報酬の基準値とを設定することで、電力情報に対応した適切な数の電気機器３０に適切な動作を指示する。これにより、電力管理装置１００は、電力システム２０の供給可能電力を過不足のない適正な値に安定化させることができる。また、電力管理装置１００は、予め取得したユーザの希望報酬と報酬の基準値との比較といった簡便な処理によって、所定の動作を実行させる電気機器３０を選別する。したがって、電力管理装置１００は、ユーザの行動パターンの予測など、複雑な処理をすることなく、容易に電力システム２０とユーザとの間の電力の流れを調節することができる。
【００７５】
また、電気機器３０のユーザは、例えば、機器制御装置４０をネットワークに接続し、電気機器３０を指示通りに動作させるように設定し、希望報酬を入力するだけで、このような電力管理装置１００を用いた電力管理システム１０を利用することができる。また、複数のユーザであっても、同様に、電力管理システム１０を簡便に利用できる。したがって、電力管理装置１００は、電力システム２０からより多くのユーザに対する電力の流れを効率的に、また、簡便に調節することができる。そして、電力管理装置１００が電気機器３０を有するユーザの希望する希望報酬を事前に取得することで、付与する報酬の基準値に対して、ユーザの電気機器３０がどの程度動作するのか事前に把握することが可能となる。
【００７６】
そして、このような電力管理システム１０を用いることで、複雑な処理が不要となり、高価な部品、装置等を用いることなく、低コストで電力管理システム１０を構成することができる。電力管理システム１０は、例えば、サーバ等の汎用の装置で構成でき、インターネット回線等を利用できるので、導入コスト、維持コストを低減でき、また、複雑な処理をしていないので、通信速度、処理速度を速くすることができる。
【００７７】
また、電気機器３０のユーザは、希望報酬が報酬の基準値以下となり、電気機器３０が所定の動作をした場合に、希望する報酬以上の報酬を受け取ることができる。なお、基準値より大きい報酬を希望したユーザの電気機器３０には、所定の動作の実行が指示されないので、ユーザは、希望報酬の値を調節して電気機器３０の動作を切り換えることもできる。例えば、ユーザが電気機器３０を手動で動作させたい場合には、希望報酬の値を極端に高い値に更新すればよい。また、ユーザが報酬を得たい場合には、希望報酬の値を報酬の基準値以下となるような値に更新すればよい。これにより、ユーザは、目的に応じて、電気機器３０の動作を簡便に切り換えることができる。
【００７８】
また、電力管理装置１００は、ユーザの希望報酬に基づいて電気機器３０に所定の動作を指示するか否かを判断しているので、複数のユーザが電力管理システム１０に参加しても、特定のユーザだけに指示の送信が集中してしまうことを防止でき、ユーザ間の不公平感を解消することができる。また、電力管理装置１００は、動作実績に対する付与ポイントを可能な限り公開することで、ユーザ間に公平に動作の指示を出すこともできる。電力管理装置１００は、ユーザが希望する希望報酬を事前に取得するので、指示に対する動作量を事前に把握することができ、ユーザの置かれている環境の将来予測、ユーザの行動パターンなどの分析等を省略することができる。
【００７９】
以上の本実施形態に係る電力管理装置１００は、電力システム２０からより多くのユーザに対して電力の流れを調節できることを説明した。この場合、電力管理装置１００は、電力システム２０とより広い地域の複数のユーザに設置されている電気機器３０との間の電力の流れを調節することになる。このように、電力管理システム１０の規模が大きくなると、電力を供給する地域のうちの一部の地域の供給電力が過剰となり、残りの一部の地域の供給電力が不足となることがある。このような場合、電力管理装置１００は、電気機器３０が設置されている地域に対応した指示を出力してもよい。
【００８０】
この場合、希望報酬取得部１１０は、電気機器３０が設置されている地域の情報を更に取得する。例えば、ユーザが入力デバイス５０を用いてアクセスするＷＥＢサイトには、ユーザの住所を入力する項目を有し、入力デバイス５０は、電気機器３０が設置されている地域の情報を受け付ける。これにより、希望報酬取得部１１０は、ユーザの希望報酬と共に、電気機器３０が設置されている地域の情報を取得できる。記憶部１３０は、希望報酬と地域の情報とを、ユーザのＩＤ等に対応付けて記憶することが望ましい。
【００８１】
そして、電力情報取得部１２０は、電力系統の需給バランスなどを示す電力情報を地域ごとに取得する。記憶部１３０は、電力情報と地域の情報とを対応付けて記憶することが望ましい。このような電力情報を用いることで、設定部１４０は、電気機器３０に実行させる所定の動作と報酬の基準値とを地域ごとに設定できる。そして、指示部１５０は、電気機器３０が設置されている地域に対応する所定の動作の実行を電気機器３０に指示する。指示部１５０は、例えば、地域ごとに、希望報酬と報酬の基準値とを比較して所定の動作の実行を指示すべき電気機器３０を決定する。
【００８２】
以上のように、電力管理装置１００は、電力システム２０が電力を供給する領域内において供給電力が不足している地域と供給電力が過剰になっている地域とが混在しても、電気機器３０が設置されている地域の情報を用いることにより、地域ごとに適切な動作を指示できる。
【００８３】
以上の本実施形態に係る電力管理システム１０は、電力管理装置１００が所定の動作の実行を指示すべき電気機器３０を決定する例を説明したが、これに限定されることはない。例えば、電気機器３０を制御する機器制御装置４０が、制御対象の電気機器３０に所定の動作を実行させるか否かを決定してもよい。このような電力管理システム１０について、次に説明する。
【００８４】
＜機器制御装置４０および電力管理装置１００の変形例＞
図５は、本実施形態に係る電力管理システム１０における機器制御装置４０および電力管理装置１００の変形例を示す。本変形例の電力管理装置１００において、電力情報取得部１２０、記憶部１３０、設定部１４０、受信部１６０、算出部１７０の動作は、図２に示された本実施形態に係る電力管理装置１００の動作と略同一であり、ここでは説明を省略する。
【００８５】
本変形例の電力管理システム１０において、希望報酬取得部１１０は機器制御装置４０に設けられている。また、電力管理装置１００において、指示部１５０は、設定部１４０が設定した所定の動作と報酬の基準値とを機器制御装置４０に送信する。言い換えると、電力管理装置１００は、電力システム２０の電力需給のバランスに基づき、電気機器３０に対する所定の動作の指示と報酬の基準値とを機器制御装置４０に送信する。
【００８６】
機器制御装置４０は、電力システム２０における電力の需給量を管理する電力管理装置１００と通信し、ユーザの電気機器３０を制御する。機器制御装置４０は、所定の動作の指示と報酬の基準値とを受信し、希望報酬と報酬の基準値とに基づいて所定の動作を電気機器３０に実行させる。機器制御装置４０は、希望報酬取得部１１０と、報酬の基準値取得部２１０と、動作実績取得部２２０と、記憶部２３０と、動作制御部２４０と、通知部２５０とを備える。
【００８７】
希望報酬取得部１１０は、ユーザが希望する報酬を希望報酬として取得する。希望報酬取得部１１０の動作は、図２、図３等を用いて説明した動作と同様なので、ここでは説明を省略する。
【００８８】
報酬の基準値取得部２１０は、電気機器３０に所定の動作を実行させた場合に、ユーザに付与する報酬の基準値を電力管理装置１００から取得する。報酬の基準値取得部２１０は、例えば、指示部１５０が送信した基準値の情報を受信する。動作実績取得部２２０は、電力管理装置１００から所定の動作の指示を取得する。動作実績取得部２２０は、例えば、指示部１５０が送信した所定の動作を示す制御番号の情報を受信する。
【００８９】
記憶部２３０は、希望報酬、報酬の基準値、所定の動作等の情報を記憶する。また、記憶部２３０は、機器制御装置４０が動作の過程で生成する（または利用する）中間データ、算出結果、およびパラメータ等を記憶する。記憶部２３０は、図２等で説明した記憶部１３０と同様の動作をしてもよい。
【００９０】
動作制御部２４０は、基準値が希望報酬以下の場合に、所定の動作を制御対象の電気機器３０に実行させる。また、動作制御部２４０は、基準値が希望報酬を超えた場合、所定の動作を制御対象の電気機器３０に実行させない。このように、動作制御部２４０は、電気機器３０に対して所定の動作を実行させるか否かを容易に決定できる。
【００９１】
通知部２５０は、動作制御部２４０が電気機器３０に所定の動作を実行させた動作実績を、電力管理装置１００に通知する。これにより、電力管理装置１００の受信部１６０は、動作実績の情報を受信し、算出部１７０は、ユーザに付与する報酬を算出できる。
【００９２】
以上のように、本変形例に係る機器制御装置４０および電力管理装置１００においても、電力情報に対応して適切な数の電気機器３０に適切な動作を実行させることができる。また、電力管理システム１０が本変形例の機器制御装置４０および電力管理装置１００を用いた場合、入力デバイス５０を介してユーザが入力する希望報酬、ユーザの情報等は、機器制御装置４０が記憶して管理することになる。
【００９３】
電力管理装置１００は、機器制御装置４０と比較してユーザから離れた位置に設置されることが多く、また、ユーザが直接操作できる装置ではない。したがって、本変形例の機器制御装置４０を用いることにより、ユーザの個人情報等がこのような電力管理装置１００に記憶されることを防止できる。したがって、ユーザが直接操作できる機器制御装置４０にユーザの個人情報を記憶して管理することにより、情報漏洩、不正な操作等が発生することを低減でき、より高いセキュリティのシステムを構成することができる。
【００９４】
以上、本発明を実施の形態を用いて説明したが、本発明の技術的範囲は上記実施の形態に記載の範囲には限定されず、その要旨の範囲内で種々の変形および変更が可能である。例えば、装置の全部または一部は、任意の単位で機能的または物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００９５】
１０  電力管理システム
２０  電力システム
３０  電気機器
４０  機器制御装置
５０  入力デバイス
１００  電力管理装置
１１０  希望報酬取得部
１２０  電力情報取得部
１３０  記憶部
１４０  設定部
１５０  指示部
１６０  受信部
１７０  算出部
２１０  報酬の基準値取得部
２２０  動作実績取得部
２３０  記憶部
２４０  動作制御部
２５０  通知部
【要約】
【課題】電力システムとより多くのユーザの住居との間の電力の流れを簡便に調節できるようにする。
【解決手段】電気機器を有するユーザが希望する報酬を希望報酬として取得する希望報酬取得部と、電気機器と電力を授受する電力システムの電力系統の需給バランスを含む電力情報を取得する電力情報取得部と、電気機器が所定の動作を実行した場合にユーザに付与する報酬の基準値を設定する設定部と、報酬の基準値以下の希望報酬を希望したユーザの電気機器に対して、所定の動作の実行を指示する指示部とを備える、電力管理装置を提供する。
【選択図】図２【図１】
0006901609.tif 000002
【図２】
0006901609.tif 000003
【図３】
0006901609.tif 000004
【図４】
0006901609.tif 000005
【図５】
0006901609.tif 000006